(57)【特許請求の範囲】
【請求項１】
振とう台上の一端に押し止め操作部材と押板を設けるとともに該振とう台の中間上に該押し止め操作部材に平行して前後に移動する押し止め部材を設け、且つ該振とう台上の他端に止め枠を設け、中間上の該前後に移動する押し止め部材を挟んで該振とう台上に並載する前列と後列の複数個の振とう用プレートを前記一端の押し止め操作部材の押し操作による前列のプレートの押しにて前後に移動する押し止め部材を介して後列のプレートの後端を止め枠に押し当てることにより、前後列の該振とう用プレートを同時に振とう台上に押し止め固定するようにしたことを特徴とする振とう機における振とう用プレートの押え止め装置。
【請求項２】
前後に移動する押し止め部材は二列にて設ける請求項１記載の装置。
【請求項３】
前後に移動する押し止め部材は振とう台上に取付ける固定板にばね張り被せしたコ形被せ体にて形成する請求項１または２のいずれかに記載の装置。
【請求項４】
前後に移動する押し止め部材はコ形被せ体上に拡幅用のコ形部材を載嵌する請求項１乃至３のいずれかに記載の装置。
【発明の詳細な説明】
【０００１】
【発明が属する技術分野】
この発明は振とう機における振とう用プレートの押え止め装置に関するものである。
【０００２】
【従来の技術】
この種の押え止め装置は実公平２−３００２０号公報に記載されているように、振とう台上に粘着特性付のシートを敷着して、その上にプレート類を載上して固定させるか、振とう台上のプレート類をスプリングやゴムバンドにて縛って固定してきたものである。
【０００３】
【発明が解決しようとする課題】
しかしながら、粘着特性付のシートの場合はフラスコやシャーレなど扁平で大きい底面のものは粘着して固定するが、外枠の下端部分しか接面しない浮底形式の振とう用プレート類はプラスチック製の軽さもあって振とうの経時によりにずれ動きが生ずるという課題があり、スプリングやゴムバンドによる結縛固定は作業がきわめて面倒であり、しかも緩んでずれ動きが生ずるという課題がある。
【０００４】
【課題を解決するための手段】
本発明は、振とう台上の一端に押し止め操作部材と押板を設けるとともに該振とう台の中間上に該押し止め操作部材に平行して前後に移動する押し止め部材を設け、且つ該振とう台上の他端に止め枠を設け、中間上の該前後に移動する押し止め部材を挟んで該振とう台上に並載する前列と後列の複数個の振とう用プレートを前記一端の押し止め操作部材の押し操作による前列のプレートの押しにて前後に移動する押し止め部材を介して後列のプレートの後端を止め枠に押し当てることにより、前後列の該振とう用プレートを同時に振とう台上に押し止め固定するようにして、かかる課題を解決したのである。
【０００５】
【発明の実施の形態】
振とう機１上に水平に設けられる振とう台２は前端上に偏心回転型をした押し止めのための前進と解除後退をする押し止め操作部材３ａ，３ｂと押板４を設け、該押板４に平行して振とう台２の中間上に伝動用の押し部材５を設けてなる。６は後端の止め枠である。
【０００６】
本発明は押し止め操作部材３ａ，３ｂを弛め側に廻して後退させておいて、振とう台２上の伝動用の押し止め部材５を挟んだ位置に試料液を分注した２個とか複数個の振とう用プレート７ａ，７ｂを並載して後、押し止め操作部材３ａ，３ｂを回動操作して前進させるのである。すると、押板４を挟んで押された前列のプレート７ａが伝動用の押し止め部材５を介して後側のプレート７ｂを押して後端を止め枠６に押し当て、以って前後列のプレート７ａ，７ｂがともに振とう台２上に押し止め固定されることとなる。
【０００７】
伝動用の押し止め部材５は振とう台２の中間上に取付ける細い帯状をした固定板５ａにコイルばね５ｂを巻付けた摺動軸５ｃを有して被せ付けしたコ形被せ体５ｄからなっていて、コ形被せ体５ｄは押し止め操作部材３ａ，３ｂを押し操作すると前列のプレート７ａを挟んで後端側に押されて移動し、押しを解くとコイルばね５ｂの反発により元位置に戻るようにしてあり、この反発力によって図６に示すように前列側だけにプレート７ａを載せたときも固定することができる。またプレート７ａ，７ｂの載上，取出しの際の間隙が自動的に確保されるようになっている。４ａは押板４に設けたコイルばね４ｂ巻付けの摺動軸で、押し止め操作部材３ａ，３ｂの押しを解いたときに押板４を押し止め操作部材側に戻すようにしている。また、後端の止め枠６の内面にはプレート７ｂを弾性受けするためのスポンジ部材６ａを貼着しているが、図９（ａ）（ｂ）に示すように板ばね材６ｂやシリコンゴム帯状材６ｃの貼着けにかえてもよい。
【０００８】
図７は伝動用の押し止め部材５を二列において設けてプレート７を三列にて並載して同時に押し止めするようにしている。この場合も前一列または前二列に並載するプレート７だけを押し止め固定することができる。
【０００９】
また、図８はコ形被せ５ｄ上に拡幅用のコ形部材５ｅを載嵌した例を示している。かくすることによって幅狭なタイプのプレート７ｃも並載して固定することができる。
【００１０】
なお押し止め操作部材３ａ，３ｂの押し操作を解くと、各列の各プレートは押し止めから解放されて自由に取り出すことができる。そして並載するプレートは図１０に示すディープウェルプレートａや幅狭タイプのディープウェルプレートｂ，マイクロプレートｃなどのほかすべての振とう用プレートが含まれる。なお、振とう台２上には緩衝用の弾性シート等を敷着することもある。
【００１１】
【発明の効果】
本発明は以上のようにして、振とう台上に複数列において並載するプレート類を一端の押し止め操作部材の押し止め操作により同時且つ一斉に押し止めするため、並載する複数のプレート類の固定作業が簡単となり、振とうを長時間継続してもずれ動きを生じないで安定した振とうが行えるという効果を生ずる。
【００１２】
拡幅用のコ形部材を使用することにより、幅狭なタイプなプレート類も挟み止め固定することができるという効果を生ずる。
【図面の簡単な説明】
【図１】  本発明の１実施形態を示す斜視図
【図２】  （ａ）乃至（ｃ）は伝動用の押し部材を挟んで並載した前後列の振とう用プレートを押し止め固定する過程を示す振とう台上部分の側面図
【図３】  図２の（ｃ）の押し止めした状態を示す平面図
【図４】  伝動用の押し部材の拡大側断面図
【図５】  押板の拡大側断面図で、（ａ）はコイルばね巻付けの摺動軸の部分、（ｂ）は押し止め操作部材部分
【図６】  前列側にだけ振とう用プレートを載せたときの固定状態を示す側面図
【図７】  伝動用の押し止め部材を２列において設けてプレートを三列にて並載した例を示す平面図
【図８】  伝動用の押し部材に拡幅用のコ形部材を載嵌して幅狭なタイプのプレートを固定した例を示す側面図
【図９】  （ａ）は後端の止め枠に板ばね材を取付けた例、（ｂ）は同、シリコンゴム帯状材を貼着けた例を示す部分斜視図
【図１０】  プレートの形状例を示す正面図
【符号の説明】
１は振とう機
２は振とう台
３ａ，３ｂは押し止め部材
４は押板
４ａは摺動軸
４ｂはコイルばね
５は伝動用の押し部材
５ａは固定板
５ｂはコイルばね
５ｃは摺動軸
５ｄはコ形被せ体
５ｅは拡幅用のコ形部材
６は後端の止め枠
６ａはスポンジ部材
６ｂは板ばね部材
６ｃはシリコンゴム帯状材
７，７ａ，７ｂ，７ｃは振とう用プレート
【図１】
0004311839.tif 000002
【図２】
0004311839.tif 000003
【図３】
0004311839.tif 000004
【図４】
0004311839.tif 000005
【図５】
0004311839.tif 000006
【図６】
0004311839.tif 000007
【図７】
0004311839.tif 000008
【図８】
0004311839.tif 000009
【図９】
0004311839.tif 000010
【図１０】
0004311839.tif 000011